(57)【要約】【課題】  ＩＣ記録媒体であるメモリーカードの収納保管を行う機能に、収納保管してある各メモリーカードのタイトル等が確認できる機能と、タイトル等の編集ができる機能を付加したメモリーカードホルダーを提供する。【解決手段】  メモリーカードホルダー１は、収納保管部２と記録内容表示部３および操作部４で構成され、収納保管部２のスロット５にメモリーカードを収納保管する。収納保管してある各メモリーカードのタイトル等の確認や編集は、操作部４のスイッチ８を操作し、表示部３の液晶ディスプレイ６の画像やスピーカー７からの音を確認しながら行う。【選択図】図１
2008112426.tif 000002
【特許請求の範囲】
【請求項１】
ＩＣ記録媒体であるメモリーカードを、複数個収納保管するメモリーカードホルダーに、メモリーカードを収納保管している状態で、
各メモリーカードの記録内容の一部分である、タイトルや整理番号等を読み取り確認できる機能を付加したことを特徴とするメモリーカードホルダー。
【請求項２】
［請求項１］のメモリーカードホルダーに、
各メモリーカードの記録内容の一部分又は全部の消去と、タイトルや整理番号等の新たな情報を書き込み記録できる機能を付加したことを特徴とするメモリーカードホルダー。
【請求項３】
［請求項１］［請求項２］のメモリーカード収納保管部を、本体から分離し、本体とコネクター等で接続し使用できるようにしたメモリーカードホルダー。
【請求項４】
保管するメモリーカードの数量が増えて、メモリーカード収納保管部の収納容量が不足した場合に、増設用収納保管部をコネクター等で接続増設し、メモリーカードの収納容量を増やすことを可能にした［請求項１］［請求項２］［請求項３］のメモリーカードホルダー。
【発明の詳細な説明】
【技術分野】
【０００１】  本発明は、ＩＣ記録媒体であるメモリーカードを収納保管するメモリーカードホルダーに係り、メモリーカードを収納保管した状態でメモリーカードに記録してあるタイトルや整理番号等の確認、およびタイトルや整理番号等の編集を可能にしたメモリーカードホルダーに関する。
【背景技術】
【０００２】  近年、デジタルカメラやパーソナルコンピューターあるいは音響機器、さらには携帯電話やゲーム機等の電子機器に、ＩＣ記録媒体であるメモリーカードの使用が普及している。今後、各個人や各企業等において、そのさらなる普及拡大が予想される。【０００３】  このような背景において、従来からある各種メモリーカードホルダーと称する製品は、メモリーカードを携帯するための携帯容器、あるいはメモリーカードに記録したデーターを保護するための保護容器としてのものであった。そのため、メモリーカードに記録してあるタイトルや整理番号等を確認するには、そのメモリーカードを使用する機器あるいはパーソナルコンピューター等に、その都度メモリーカードを装着しデーターを読み込み確認する必要があった。あるいは、タイトルや整理番号等をメモリーカード本体の表面に書き込んだり、紙等に書いて貼り付けたりしておく必要があった。【０００４】  今後予想されるメモリーカードの普及拡大により、複数個のメモリーカードを収納保管し、そのままの状態で、各メモリーカードのタイトルや整理番号等の確認でき、必要に応じてタイトルあるいは整理番号等の編集ができるメモリーカードホルダーが求められているが、現在のところそのようなメモリーカードホルダーは考案されていない。【０００５】
【特許文献１】  特開２００１−２２２６９５号広報（要約書）
【発明の開示】
【発明が解決しようとする課題】
【０００６】  本発明は、このような状況に鑑みてなされたもので、複数個のメモリーカードの収納保管が可能であるとともに、収納保管してある状態で各メモリーカードのタイトルや整理番号等の確認を可能にし、必要に応じてタイトルあるいは整理番号等の編集も可能にしたメモリーカードホルダーを提供するものである。
【課題を解決するための手段】
【０００７】  課題を解決するため、本発明のメモリーカードホルダーは、メモリーカード収納保管部と記録内容表示部および電子回路を含む操作部で構成される。【０００８】  メモリーカード収納保管部は、メモリーカードを収納するスロットを複数個有しており、スロット内部にはメモリーカードをスロットに挿入したとき、メモリーカードの端子と接続する電子回路に繋がる端子を有する。したがい、メモリーカードをスロットに収納している状態では、メモリーカードは端子を介して電子回路を含む操作部に接続している。【０００９】  つぎに、記録内容表示部は、液晶等のディスプレイ装置やスピーカー等の音声発生装置のどちらか一方あるいは両方からなり、電子回路を含む操作部に接続している。【００１０】  電子回路を含む操作部は、バッテリーあるいは外部から電源を得て作動する電子回路部と、電子回路部に信号を送り本発明のメモリーカードホルダーを操作するスイッチ等の操作部からなる。【００１１】  上記の如く構成された、本発明のメモリーカードホルダーの機能は、メモリーカードを収納保管部のスロットに挿入した状態で、電源を入れて操作部を操作することにより、収納保管してある各メモリーカードのタイトルあるいは整理番号等を読み込み表示部のディスプレイに表示したり、スピーカーで音を発生したりして、タイトルや整理番号等の確認を可能にするものである。また、操作部を操作することにより、各メモリーカードの記録の消去や、簡単な内容の新たな情報の書き込みを可能にすることにより、タイトルや整理番号等の編集を可能にするものである。
【発明の効果】
【００１２】  したがい、使いたいメモリーカードを、その都度使用している装置やパーソナルコンピューターに一枚ずつ装着して、タイトルや整理番号等の確認をする必要を無くし、メモリーカードホルダーに収納保管したまま、各メモリーカードのタイトルや整理番号等の確認を可能にする。また、メモリーカード本体にタイトルや整理番号等の表示を忘れたり、読めなくなったりした場合でも簡単にタイトルや整理番号等の確認を可能にする。特に、同一規格のメモリーカードが複数の装置に使用されている場合、タイトルや整理番号等が不明確なメモリーカードは、どの装置に使用したものか探すことから始めなければならず大変面倒な作業を要求される。このような時、本発明のメモリーカードホルダーがあれば、どの装置に使用したどんなタイトルや整理番号等のものか簡単に確認できる。【００１３】  また、多数個のメモリーカードのタイトルや整理番号等の編集が、メモリーカードを収納保管した状態で可能なことから、本発明のメモリーカードホルダーを使用することにより、多数個所有するメモリーカードの整理作業が容易になり、より整理された状態でのメモリーカードの保管を可能にする。
【発明の実施の形態１】
【００１４】  図１は、本発明による実施形態１のメモリーカードホルダーの斜視図である。メモリーカードホルダー１は複数個のスロット５を設けた収納保管部２を有する。収納保管部２は、メモリーカードをスロット５に挿入し収納保管するためのものである。収納保管部２には、埃や磁気等からメモリーカードを保護する開閉可能なカバー９を設けてある。そして、記録内容表示部３は、液晶ディスプレイ６およびスピーカー７からなり、画像あるいは音によりメモリーカードに記録されている内容を確認するためのものである。また、操作部４は、複数個のスイッチ８からなり、電源を入れたりメモリーカードの記録内容を読み取ったり、メモリーカードの記録を消去あるいは書き込んだりするための各種操作を行うためのものである。図１のコネクター端子１０は、収納保管するメモリーカード数が増えて収納容量が不足したとき、収納容量を増やすため増設用収納保管部１２を、コネクターケーブル１１を介してメモリーカードホルダー１に接続するためのものである。
【発明の実施の形態２】
【００１５】  図２は、本発明による実施形態２のメモリーカードホルダーの斜視図である。実施形態２は、実施形態１のメモリーカード収納保管部２を記録内容表示部３と操作部４から分離し、メモリーカード収納保管部１４としたもので、記録内容表示部と操作部１３にコネクターケーブル１１を介して接続したものである。
【００１６】  このように、メモリーカード収納保管部１４を記録表示部と操作部１３から分離させることにより、各種規格のメモリーカードが普及している状況への対応を容易にすることができる。例えば、メモリーカード収納保管部１４の複数個あるスロット５を全規格のメモリーカードが収納できるように作っておくとか、一規格あるいは数規格のメモリーカードが収納できる仕様に作っておくとかして、使用者の都合に合わせてメモリーカード収納保管部１４を自由に選択できるようにすることが可能となる。これは増設用収納保管部１２についても同様なことがいえる。さらに、メモリーカード収納保管部１４を記録表示部と操作部１３から分離させることにより、メモリーカード収納保管部１４と増設用収納保管部１２を同じものにすることも可能となる。
【図面の簡単な説明】
【００１７】
【図１】本発明による第１の実施形態例を示す斜視図である。
【図２】本発明による第２の実施形態例を示す斜視図である。
【符号の説明】
【００１８】  １…メモリーカードホルダー、２…収納保管部、３…記録内容表示部、４…操作部、５…スロット、６…液晶ディスプレイ、７…スピーカー、８…スイッチ、９…カバー、１０…コネクター端子、１１…コネクターケーブル、１２…増設用収納保管部、１３…記録内容表示部と操作部、１４…収納保管部。
【図１】
2008112426.tif 000003
【図２】
2008112426.tif 000004